(57)【要約】【課題】建物の通気システムにおいてシャッタケースの内部を通じての通気を好適に行う。【解決手段】窓部１５に設けられているシャッタ装置３１は、シャッタカーテン３２とシャッタケース３３とを有している。シャッタケース３３は外壁１２に対して取り付けられており、シャッタカーテン３２を収納する収納スペース３７を有している。シャッタケース３３にはカーテン出入口３９とケース側開口部５１とが形成され、外壁１２には外壁側開口部５２が形成されており、シャッタカーテン３２の収納スペース３７は屋外と居室１１とを連通する通気路となっている。外壁側開口部５２には、コントローラ６１と電気的に接続された開閉装置５５が設けられており、コントローラ６１は、シャッタカーテン３２の開閉状態に合わせて開閉装置５５に外壁側開口部５２の開閉を行わせる。【選択図】図１
2011106170.tif 000002
【特許請求の範囲】
【請求項１】
外壁に形成された窓部の開閉を行うシャッタカーテンと、該シャッタカーテンを収納するシャッタケースとを有するシャッタ装置が設けられている建物に適用され、
前記シャッタケースの内部には、建物内空間及び屋外空間を連通する通気路が形成され、
前記通気路を通じて通気を行わせる通気状態及び該通気を停止させる非通気状態のいずれかとなる通気調整装置と、
前記シャッタカーテンの開閉状態に基づいて前記通気調整装置の動作制御を行う制御手段と
を備えていることを特徴とする建物の通気システム。
【請求項２】
前記制御手段は、前記シャッタカーテンの開閉動作が行われている場合に前記通気調整装置を前記非通気状態とすることを特徴とする請求項１に記載の建物の通気システム。
【請求項３】
前記制御手段は、前記シャッタカーテンが開放状態にある場合に前記通気調整装置を前記非通気状態とすることを特徴とする請求項１又は２に記載の建物の通気システム。
【請求項４】
前記制御手段は、前記シャッタカーテンが閉鎖状態にある場合に前記通気調整装置を前記通気状態とすることを特徴とする請求項１乃至３のいずれか１項に記載の建物の通気システム。
【請求項５】
前記通気路における空気の流れの向きを判定する判定手段を備え、
前記制御手段は、前記判定手段により前記通気路における空気の流れの向きが屋外向きであると判定された場合に、前記通気調整装置を前記通気状態とすることを特徴とする請求項１乃至４のいずれか１項に記載の建物の通気システム。
【請求項６】
前記判定手段は、前記屋外空間の気圧に対して前記建物内空間が正圧である場合に前記通気路における空気の流れの向きが屋外向きであると判定することを特徴とする請求項５に記載の建物の通気システム。
【請求項７】
前記通気路とは別の通気路を通じて前記建物内空間に外気を取り込む給気ファンを備え、
前記判定手段は、前記給気ファンが駆動している場合に前記建物内空間が正圧であるとして前記通気路における空気の流れの向きが屋外向きであると判定することを特徴とする請求項６に記載の建物の通気システム。
【請求項８】
外気の取り込み又は内気の排出を行うことで前記建物内空間の換気を行う換気装置が設けられている建物に適用され、
前記制御手段は、前記シャッタカーテンが開放状態にある場合に、前記換気装置により外気の取り込みが行われていれば前記通気調整装置を前記通気状態とし、前記換気装置により内気の排出が行われていれば前記通気調整装置を前記非通気状態とすることを特徴とする請求項１乃至６のいずれか１項に記載の建物の通気システム。
【請求項９】
前記通気調整装置は、前記通気路を前記建物内空間側から閉鎖する閉鎖体を有しており、該閉鎖体にて前記通気路を閉鎖することにより前記非通気状態となることを特徴とする請求項１乃至８のいずれか１項に記載の建物の通気システム。
【発明の詳細な説明】
【技術分野】
【０００１】
本発明は、建物の通気システムに関するものである。
【背景技術】
【０００２】
窓部にシャッタ装置が設けられている住宅等の建物について、シャッタカーテンを収納するシャッタケースの内部を通じて建物内空間の換気が行われる技術が提案されている。例えば特許文献１には、建物内空間の空気を屋外に排出する電動ファンが設けられており、その電動ファンの駆動に伴って外気がシャッタケースを通じて建物内空間に取り込まれる構成が記載されている。この構成によれば、窓部を開放させなくてもシャッタケースを通じて建物内空間の換気を行うことが可能となっており、例えば窓部を開放させて建物内空間の換気を行う構成に比べて防犯性能が高められていることになる。
【先行技術文献】
【特許文献】
【０００３】
【特許文献１】特開平１０−２０５８４７号公報
【発明の概要】
【発明が解決しようとする課題】
【０００４】
しかしながら、上記特許文献１に記載された構成では、電動ファンが駆動された場合、シャッタ装置の状態に関係なくシャッタケースを通じた通気が行われることになる。ここで、シャッタケースによる通気を行う場合、通気に適したシャッタ装置の状態があると考えられる。例えば、シャッタカーテンがシャッタケースに収納されている場合、シャッタカーテンがシャッタケースに収納されていない場合に比べてシャッタケース内部における通気スペースが小さくなり、通気量が低下することが想定される。したがって、シャッタケースを通じた通気が行われる構成に関して改善の余地がある。
【０００５】
本発明は、建物の通気システムにおいてシャッタケースの内部を通じての通気を好適に行うことを主たる目的とする。
【課題を解決するための手段】
【０００６】
上記課題を解決するために、第１の発明は、外壁に形成された窓部の開閉を行うシャッタカーテンと、該シャッタカーテンを収納するシャッタケースとを有するシャッタ装置が設けられている建物に適用され、前記シャッタケースの内部には、建物内空間及び屋外空間を連通する通気路が形成され、前記通気路を通じて通気を行わせる通気状態及び該通気を停止させる非通気状態のいずれかとなる通気調整装置と、前記シャッタカーテンの開閉状態に基づいて前記通気調整装置の動作制御を行う制御手段とを備えていることを特徴とする。
【０００７】
第１の発明によれば、シャッタカーテンの開閉状態に合わせて通気調整装置を通気状態及び非通気状態のいずれかに適宜移行させることができる。ここで、シャッタ装置においてシャッタカーテンは、シャッタケースの内部に収納されることで開放状態となり、シャッタケースの内部から繰り出されることで閉鎖状態となるため、通気路の状態、すなわちシャッタカーテンに付着するなどしたゴミの有無等がシャッタカーテンの開閉状態によって変化することになる。したがって、通気路の状態に合わせて通気調整装置の状態を適宜移行させることにより、建物の通気システムにおいてシャッタケースの内部を通じての通気を好適に行うことができる。
【０００８】
なお、シャッタカーテンの開閉状態には、シャッタカーテンが開放された状態及び閉鎖された状態に加えて、開閉動作中の状態が含まれる。
【０００９】
第２の発明では、前記制御手段は、前記シャッタカーテンの開閉動作が行われている場合に前記通気調整装置を前記非通気状態とする。
【００１０】
シャッタカーテンの開閉動作が行われている場合（開閉動作中）においては、シャッタケースの内部に存在しているゴミ等や、シャッタカーテンに付着していたゴミ等が前記開閉動作の勢いや振動によって通気路で浮遊することが想定される。この点、第２の発明によれば、シャッタカーテンの開閉動作が行われている場合に通気路を通じた通気が停止されるため、通気路でゴミ等が浮遊していてもそのゴミ等が建物内空間に流れ込むことを回避できる。
【００１１】
第３の発明では、前記制御手段は、前記シャッタカーテンが開放状態にある場合に前記通気調整装置を前記非通気状態とする。
【００１２】
シャッタカーテンがシャッタケースの内部に収納されて開放状態にある場合、シャッタカーテンに付着したゴミ等がシャッタケースの内部に存在していると想定される。この点、第３の発明によれば、シャッタカーテンが開放状態にある場合、シャッタケースの内部を通じての通気が停止されるため、シャッタカーテンに付着したゴミ等が建物内空間に流れ込むことを回避できる。
【００１３】
なお、シャッタカーテンの開放状態には、シャッタカーテンが窓部全体を開放している状態に加えて、窓部の少なくとも一部を開放している状態が含まれている。
【００１４】
第４の発明では、前記制御手段は、前記シャッタカーテンが閉鎖状態にある場合に前記通気調整装置を前記通気状態とする。
【００１５】
第４の発明によれば、シャッタカーテンがシャッタケースから繰り出されて閉鎖状態にある場合にシャッタケースの内部を通じての通気が行われる。この場合、シャッタカーテンにゴミ等が付着していてもそのゴミ等はシャッタケースの内部に存在しないことになる。したがって、シャッタカーテンの内部を通じての通気が行われる際に、シャッタカーテンに付着しているゴミ等が建物内空間に流れ込むことを回避できる。
【００１６】
なお、シャッタカーテンの閉鎖状態には、シャッタカーテンが窓部全体を閉鎖している状態が該当する。
【００１７】
第５の発明では、前記通気路における空気の流れの向きを判定する判定手段を備え、前記制御手段は、前記判定手段により前記通気路における空気の流れの向きが屋外向きであると判定された場合に、前記通気調整装置を前記通気状態とする。
【００１８】
第５の発明によれば、通気路における空気の流れの向きが屋外向きである場合にシャッタケースの内部を通じて通気が行われるため、例えばシャッタカーテンに付着するなどしたゴミ等がシャッタケースの内部に存在していても、そのゴミ等は空気とともに屋外へ排出される。したがって、シャッタカーテンが開放状態及び閉鎖状態のいずれであっても、シャッタケースの内部に存在するゴミ等が建物内空間に流れ込むことを回避できる。
【００１９】
第６の発明では、前記判定手段は、前記屋外空間の気圧に対して前記建物内空間が正圧である場合に前記通気路における空気の流れの向きが屋外向きであると判定する。
【００２０】
建物内空間が正圧であり且つ通気調整装置が通気状態にある場合、建物内空間の空気がシャッタケースの内部を通じて屋外へ排出される。つまり、通気路における空気の流れの向きが屋外向きとなる。したがって、第６の発明のように、建物内空間が正圧である場合に通気路における空気の流れの向きが屋外向きであると判定されることにより、シャッタケースの内部に存在するゴミ等を空気と一緒に屋外へ排出することができる。
【００２１】
第７の発明では、前記通気路とは別の通気路を通じて前記建物内空間に外気を取り込む給気ファンを備え、前記判定手段は、前記給気ファンが駆動している場合に前記建物内空間が正圧であるとして前記通気路における空気の流れの向きが屋外向きであると判定する。
【００２２】
シャッタカーテンの内部の通気路とは別の通気路を通じて給気ファンにより外気の取込が行われている場合、建物内空間は正圧になる。したがって、第７の発明のように、給気ファンが駆動している場合にシャッタケースの内部の通気路における空気の流れの向きが屋外向きであると判定されることにより、シャッタケースの内部に存在するゴミ等を空気と一緒に屋外へ排出することができる。
【００２３】
第８の発明では、外気の取り込み又は内気の排出を行うことで前記建物内空間の換気を行う換気装置が設けられている建物に適用され、前記制御手段は、前記シャッタカーテンが開放状態にある場合に、前記換気装置により外気の取り込みが行われていれば前記通気調整装置を前記通気状態とし、前記換気装置により内気の排出が行われていれば前記通気調整装置を前記非通気状態とする。
【００２４】
換気装置により外気の取り込みが行われている場合、シャッタケースの内部を通じて建物内空間の空気を屋外へ排出することが可能となり、換気装置により内気の排出が行われている場合、シャッタケースの内部を通じて外気を建物内空間へ取り込むことが可能となる。したがって、第８の発明のように、シャッタカーテンが開放状態にある場合にシャッタケースの内部を通じて内気の排出が行われることにより、シャッタケースの内部に存在しているゴミ等やシャッタカーテンに付着しているゴミ等を屋外へ排出することができる。また、シャッタカーテンが開放状態にある場合にシャッタケースの内部を通じての外気の導入が停止されることにより、シャッタカーテンに付着しているゴミ等が建物内空間へ流れ込むことを回避できる。
【００２５】
第９の発明では、前記通気調整装置は、前記通気路を前記建物内空間側から閉鎖する閉鎖体を有しており、該閉鎖体にて前記通気路を閉鎖することにより前記非通気状態となる。
【００２６】
第９の発明によれば、通気路は建物内空間側から閉鎖体により閉鎖されるため、人が建物内空間側から通気路に手や棒などを差し込むことを抑止できる。そのため、シャッタカーテンの開閉動作が行われている場合にあっても、シャッタケースの内部を通じて通気が行われる構成において安全性を高めることができる。
【図面の簡単な説明】
【００２７】
【図１】本実施形態における居室の窓部周辺の構成を示す図。
【図２】通気制御処理の処理手順を示すフローチャート。
【図３】シャッタケースの内部における空気の流れについて説明するための図。
【図４】別の窓部周辺の構成を示す図。
【発明を実施するための形態】
【００２８】
以下、本発明を具体化した一実施形態を図面に基づいて説明する。本実施形態では、建物内空間の通気を行う通気システムが構築された建物において本発明を具体化している。図１は居室１１の窓部１５周辺の構成を示す図である。なお、図１には通気システムに関する電気的な構成を示すブロック図が含まれている。
【００２９】
図１に示すように、住宅等の建物１０には建物内空間としての居室１１が設けられており、居室１１は例えば寝室になっている。居室１１と屋外空間とを仕切る外壁１２には、開口部としての窓部１５が形成されており、窓部１５には引き違い式のサッシ戸２１と、サッシ戸２１を支持する上下一対のレール部２２設けられている。サッシ戸２１はレール部２２に沿って水平方向に移動することにより窓部１５の開閉を行う。
【００３０】
窓部１５には、サッシ戸２１の屋外側にシャッタ装置３１が設けられている。シャッタ装置３１は、サッシ戸２１に沿うようにして昇降するシャッタカーテン３２と、シャッタカーテン３２を巻回した状態で収納するシャッタケース３３とを有している。シャッタカーテン３２は、横長形状のスラット３４を複数有するスラット式シャッタカーテンとなっており、それらスラット３４は上下に並んでいる。シャッタカーテン３２は、各スラット３４が一体的に上下に移動することにより昇降し、その昇降によって窓部１５を開閉する。また、シャッタ装置３１には、シャッタカーテン３２を上下方向に案内するガイドレール（図示略）が設けられている。
【００３１】
シャッタケース３３は、横長箱状に形成されており、窓部１５の上方において外壁１２の屋外面に対して取り付けられている。シャッタケース３３の内部には、シャッタカーテン３２を巻回した状態で収納する収納スペース３７が形成されており、収納スペース３７には回転することでシャッタカーテン３２の巻き取り及び繰り出しを行う巻取ドラム３８が設けられている。この場合、シャッタカーテン３２はシャッタケース３３に収納されることにより開放状態となり、シャッタケース３３から繰り出されることにより閉鎖状態となる。
【００３２】
シャッタケース３３には、収納スペース３７からシャッタカーテン３２を出入りさせるカーテン出入口３９が形成されており、カーテン出入口３９はシャッタケース３３の下面において下方を向いて開放されている。この場合、シャッタケース３３に雨が降りかかってもカーテン出入口３９からは雨滴がシャッタケース３３の内部に入り込みにくくなっている。
【００３３】
シャッタ装置３１には、巻取ドラム３８を回転させる巻取駆動部４１と、スラット３４を開閉させるスラット駆動部４２とが設けられている。巻取駆動部４１及びスラット駆動部４２はそれぞれ電気モータを含んで構成されており、巻取駆動部４１は駆動されることでシャッタカーテン３２を昇降させ、スラット駆動部４２は駆動されることで各スラット３４を個別に開閉させることが可能となっている。
【００３４】
居室１１には、換気を行う換気ファン４５が設けられている。換気ファン４５は、居室１１と屋外とを連通する換気ダクト４６に対して設けられている。換気ファン４５は電気モータを含んで構成されており、回転方向の切り替えが可能な構成となっている。換気ダクト４６を介して屋外から居室１１へ外気を取り込む給気運転と、換気ダクト４６を介して居室１１から屋外へ内気を排出する排気運転とを切り替えることが可能となっている。
【００３５】
なお、居室１１においてサッシ戸２１により窓部１５が開放されていると、その窓部１５を通じた通気が行われる。ただし、サッシ戸２１が開放状態にあってもシャッタ装置３１においてシャッタカーテン３２が閉鎖状態にあり且つスラット３４が閉鎖状態にあると窓部１５を通じた通気は行われない。つまり、サッシ戸２１と、シャッタカーテン３２及びスラット３４のうち一方とが開放状態にあれば窓部１５を通じた通気が行われる。
【００３６】
本実施形態では、シャッタケース３３の内部を通じて通気を行う通気システムが構築されており、サッシ戸２１及びシャッタ装置３１の少なくとも一方により窓部１５が非通気状態とされていてもシャッタケース３３の内部を通じて居室１１の換気を行うことができるようになっている。
【００３７】
まず、シャッタケース３３の内部を通じて通気が行われる構成について説明する。シャッタケース３３には、外壁１２と対向する部分にケース側開口部５１が形成され、外壁１２には、シャッタケース３３と対向する部分に外壁側開口部５２が形成されており、それら開口部５１，５２により収納スペース３７と居室１１とが連通されている。この場合、シャッタケース３３において、収納スペース３７はカーテン出入口３９を介して屋外に通じているとともに、ケース側開口部５１及び外壁側開口部５２を通じて居室１１に通じているため、屋外と居室１１との通気を行う通気路となっている。収納スペース３７においては、シャッタケース３３の内周面と、巻取ドラム３８の外周面又は巻取ドラム３８に巻回されたシャッタカーテン３２の外周面との間が通気スペースとなっている。
【００３８】
居室１１には、外壁側開口部５２を開閉する開閉装置５５が設けられている。開閉装置５５は、板状に形成された開閉体５６と、開閉体５６を開閉駆動する開閉駆動部５７とを有している。開閉体５６は外壁１２に対して軸支されており、回動することで外壁側開口部５２を開閉する。
【００３９】
次に、通気システムに関する電気的な構成について説明する。
【００４０】
通気システムには、制御手段としてのコントローラ６１が設けられている。コントローラ６１は、ＣＰＵや各種メモリからなるマイクロコンピュータを含んで構成されており、通気システムに関する情報を記憶する記憶部６２を有している。コントローラ６１には、人により入力操作が行われる操作装置６４と、サッシ戸２１の開閉状態を検出するサッシ戸センサ６５と、シャッタカーテン３２の開閉状態を検出するシャッタセンサ６６とが接続されており、操作装置６４、サッシ戸センサ６５及びシャッタセンサ６６は検出信号をコントローラ６１に対して出力する。
【００４１】
操作装置６４は、シャッタケース３３を通じての通気実施に関しての入力操作や、シャッタカーテン３２の開閉実施に関する入力操作、スラット３４の開閉実施に関する入力操作、換気ファン４５の運転実施に関する入力操作が行われるようになっており、例えば居室１１の壁面に対して取り付けられている。入力操作により入力された情報は記憶部６２に記憶される。
【００４２】
サッシ戸センサ６５は、サッシ戸２１の施錠装置に設けられており、例えば施錠装置の施錠状態を検出するセンサとなっている。この場合、コントローラ６１は、サッシ戸２１が施錠されている旨の信号をサッシ戸２１が閉鎖されている旨の信号であると判定し、サッシ戸２１が解錠されている旨の信号をサッシ戸２１が開放されている旨の信号であると判定する。
【００４３】
シャッタセンサ６６は、シャッタ装置３１に設けられており、例えば巻取ドラム３８の回転を検出するセンサとなっている。この場合、コントローラ６１は、シャッタセンサ６６の検出信号に基づいて、シャッタカーテン３２の閉鎖状態を基準とした巻取ドラム３８の回転数を算出するとともに、メモリ等にあらかじめ記憶されている回転数とシャッタカーテン３２の開放量との相対関係を示すデータに基づいて、シャッタカーテン３２の開放量を算出する。
【００４４】
コントローラ６１には、シャッタ装置３１の巻取駆動部４１、スラット駆動部４２、開閉装置５５の開閉駆動部５７、換気ファン４５が接続されている。コントローラ６１は、操作装置６４への入力操作に基づいて指令信号を出力し、巻取駆動部４１、スラット駆動部４２及び換気ファン４５の動作制御を行う。つまり、人が操作装置６４を操作した内容に従って、シャッタカーテン３２の開閉やスラット３４の開閉、換気ファン４５の給気運転、排気運転を行わせる。また、コントローラ６１は、シャッタ装置３１や換気ファン４５の動作内容に基づいて指令信号を出力し、開閉駆動部５７の動作制御を行う。なお、シャッタ装置３１や換気ファン４５の動作内容に関する情報は通気システムに関する情報として記憶部６２に記憶される。
【００４５】
ここで、コントローラ６１により実行される通気制御処理について、図２のフローチャートを参照しつつ説明する。なお、コントローラ６１は、この制御処理を所定の時間周期で繰り返し行う。
【００４６】
図２において、ステップＳ１１では、サッシ戸センサ６５及びシャッタセンサ６６の各検出信号を取得する。また、記憶部６２から通気システムに関する情報を読み込む。さらに、シャッタセンサ６６の検出信号に基づいてシャッタカーテン３２の開放状態を判定する。ステップＳ１２では、シャッタカーテン３２が開閉動作中であるか否かを判定する。ここでは、巻取駆動部４１を駆動させているか否かを判定し、巻取駆動部４１を駆動させているのであればシャッタカーテン３２が開閉動作中であるとして、ステップＳ１５に進み、開閉装置５５を閉鎖状態として外壁側開口部５２を閉鎖させる。この場合、人が居室１１側から外壁側開口部５２に手や棒などを差し込むことができない状態となる。
【００４７】
ステップＳ１３では、サッシ戸センサ６５の検出信号に基づいて、サッシ戸２１が開放されているか否かを判定する。サッシ戸２１が開放されている場合、窓部１５を通じて通気が行われているため、シャッタケース３３を通じて通気を行う必要がないとして、ステップＳ１５に進み、開閉装置５５を閉鎖状態とする。
【００４８】
シャッタカーテン３２が開閉動作中でなく且つサッシ戸２１が閉鎖されている場合、ステップＳ１４に進み、換気ファン４５が運転中であるか否かを判定する。換気ファン４５が運転中でない場合、居室１１内の換気が行われにくいため、シャッタケース３３を通じて通気を行う必要がないとして、ステップＳ１５に進み、開閉装置５５を閉鎖状態とする。
【００４９】
換気ファン４５が運転中である場合、ステップＳ１６に進み、シャッタカーテン３２が開放状態にあるか否かを判定する。ここでは、シャッタセンサ６６の検出信号に基づいてシャッタカーテン３２の開放量を算出するとともに、その開放量に基づいてシャッタカーテン３２が開放状態にあるか否かを判定する。なお、シャッタカーテン３２は、窓部１５全体を閉鎖する状態である場合に閉鎖状態にあるとし、閉鎖状態に比べて少しでも開放されていれば（開放量がゼロでなければ）開放状態にあるとする。ステップＳ１７では、換気ファン４５の運転は給気運転であるか否かを判定する。
【００５０】
シャッタカーテン３２が開放状態にあり、且つ換気ファン４５の運転が給気運転でない場合（換気ファン４５の運転が排気運転である場合）、ステップＳ１５に進み、開閉装置５５を閉鎖状態とする。つまり、シャッタカーテン３２がシャッタケース３３に収納されている場合、収納スペース３７を通じての居室１１への外気の取り込みを行わせない。
【００５１】
シャッタカーテン３２が開放状態にあり且つ換気ファン４５の運転が給気運転である場合、ステップＳ１８に進み、開閉装置５５を開放状態として外壁側開口部５２を開放させる。つまり、シャッタカーテン３２がシャッタケース３３に収納されている場合、収納スペース３７を通じて居室１１内の空気を屋外へ排出する。
【００５２】
シャッタカーテン３２が開放されていない場合（ステップＳ１６がＮＯ判定の場合）、ステップＳ１８に進み、開閉装置５５を閉鎖状態とする。つまり、シャッタカーテン３２がシャッタケース３３に収納されていない場合、収納スペース３７を通じての内気の排出及び外気の取り込みの両方を行うことが可能となっている。
【００５３】
次に、通気制御処理の実行に伴うシャッタケース３３の収納スペース３７による通気について、図３を参照しつつ説明する。図３はシャッタケース３３の内部における空気の流れについて説明するための図である。なお、図３においては、サッシ戸２１により窓部１５が閉鎖されている場合を図示している。
【００５４】
図３（ａ）に示すように、シャッタカーテン３２が閉鎖状態にあり、且つ換気ファン４５の排気運転により居室１１が屋外の大気圧に対して負圧となっている場合、開閉装置５５が開放状態とされると、シャッタケース３３の収納スペース３７を通じて外気が居室１１に導入される。この場合、収納スペース３７において空気の流れは屋内向きとなるが、屋外に露出しているシャッタカーテン３２に雨滴や砂、ゴミ、埃などの付着物Ｚが付着していても、その付着物Ｚが収納スペース３７に存在するわけではないため、その付着物Ｚが外気とともに収納スペース３７を通じて居室１１に入り込むということは生じにくくなっている。
【００５５】
また、シャッタカーテン３２が閉鎖状態にあり、換気ファン４５の給気運転により居室１１が正圧となっている場合、開閉装置５５が開放状態とされると、シャッタケース３３の収納スペース３７を通じて居室１１の空気が屋外へ排出される。この場合、収納スペース３７において空気の流れは屋外向き（図３（ａ）とは逆向き）となり、付着物Ｚが居室１１に入り込むということはより一層生じにくくなっている。なお、この場合、シャッタケース３３の収納スペース３７にゴミ等が存在していれば、そのゴミ等は内気と一緒に屋外へ排出されることになる。
【００５６】
図３（ｂ）に示すように、シャッタカーテン３２が開放状態にあり且つ居室１１が負圧となっている場合、開閉装置５５が閉鎖状態とされると、シャッタケース３３の収納スペース３７を通じての通気は行われない。この場合、シャッタカーテン３２に付着した付着物Ｚが収納スペース３７に存在していても、その付着物Ｚが居室１１内に導入されることを回避できる。
【００５７】
また、シャッタカーテン３２が開閉動作中である場合、図３（ｂ）と同様に開閉装置５５が閉鎖状態とされる。例えば、開閉装置５５が開放状態にある場合に、シャッタカーテン３２の開閉を行う旨の入力操作が操作装置６４に対して行われると、開閉装置５５が閉鎖状態に移行してからシャッタカーテン３２の開閉動作が行われる。ここで、巻取ドラム３８の回転の勢いやシャッタカーテン３２の振動により付着物Ｚがシャッタカーテン３２から離間して収納スペース３７で浮遊しやすいと考えられるため、開閉装置５５が開放状態とされると付着物Ｚが居室１１に放出されることになる。これに対して、シャッタカーテン３２の開閉動作中には開閉装置５５を閉鎖状態とすることにより、収納スペース３７から居室１１に付着物Ｚが放出されることを回避できる。
【００５８】
なお、シャッタケース３３の内周面に付着するなどして収納スペース３７に存在しているゴミ等についても、シャッタカーテン３２の開閉動作中には収納スペース３７にて浮遊することが想定されるが、収納スペース３７の通気を停止させることによりそのゴミ等が居室１１に放出されることを回避できる。
【００５９】
図３（ｃ）に示すように、シャッタカーテン３２が開放状態にあり且つ居室１１が正圧となっている場合、開閉装置５５が開放状態とされると、シャッタケース３３の収納スペース３７を通じて居室１１の空気が屋外へ排出される。この場合、収納スペース３７において空気の流れは屋外向きとなり、収納スペース３７に存在している付着物Ｚや付着物Ｚとは別のゴミ等が空気と一緒に屋外へ排出される。これにより、収納スペース３７の空気を清浄に保つことができる。
【００６０】
以上詳述した本実施形態によれば、以下の優れた効果が得られる。
【００６１】
シャッタカーテン３２の開閉状態に合わせて開閉装置５５により外壁側開口部５２が適宜開放されるため、居室１１の換気が好適に行われる。具体的には、シャッタカーテン３２の開閉動作が行われている場合に外壁側開口部５２が閉鎖されるため、シャッタカーテン３２に付着しているゴミや埃などの付着物が居室１１に取り込まれることを回避できる。ここで、シャッタカーテン３２の開閉動作はシャッタカーテン３２が巻取ドラム３８に巻き取られることで行われるため、シャッタカーテン３２の開閉動作が行われていない場合に比べて、シャッタカーテン３２に付着しているゴミや埃などがシャッタカーテン３２から離脱して収納スペース３７にて浮遊する可能性が高い。したがって、シャッタカーテン３２の開閉動作が行われている場合に収納スペース３７を通じての通気が停止されることは、ゴミや埃が居室１１に入ることを抑止する上で効果的である。
【００６２】
また、開閉装置５５は開閉体５６により外壁側開口部５２を居室１１側から閉鎖するため、巻取ドラム３８の回転中に人が手や棒などをシャッタケース３３の内部（収納スペース３７）に差し込むことを抑止できる。これにより、シャッタケース３３の内部を通じての換気が行われる際の安全性を高めることができる。
【００６３】
シャッタカーテン３２が開放状態にあってシャッタケース３３に収納されている場合、換気ファン４５が給気運転中であることを条件としてシャッタケース３３の収納スペース３７を通じての通気が行われる。この場合、収納スペース３７を介して内気の排出が行われるため、シャッタカーテン３２に付着しているゴミや埃などを内気と一緒に屋外へ放出することができる。
【００６４】
また、シャッタカーテン３２がシャッタケース３３に収納されている場合、換気ファン４５が排気運転中であると収納スペース３７を通じての通気が停止される。これにより、シャッタカーテン３２に付着しているゴミや埃などが、収納スペース３７を介して居室１１に取り込まれる外気と一緒に居室１１に流れ込むことを回避できる。
【００６５】
シャッタカーテン３２が閉鎖状態にあってシャッタケース３３に収納されていない場合、換気ファン４５が給気運転中であるか否かに関係なく収納スペース３７を通じての通気が行われる。この場合、シャッタカーテン３２に付着しているゴミや埃が収納スペース３７に存在していないため、それらゴミや埃が居室１１に流れ込まない。したがって、居室１１の換気を好適に行うことができる。
【００６６】
シャッタケース３３の収納スペース３７を通じて居室１１の換気が行われるため、換気に際してシャッタカーテン３２やサッシ戸２１により窓部１５を開放させる必要がなく、さらにはスラット３４を開放させる必要もない。また、例えば不審者がシャッタケース３３の収納スペース３７から居室１１に侵入できるわけもなく、通気を行っている状態で不審者の侵入を抑止できる。したがって、シャッタカーテン３２やサッシ戸２１、スラット３４を開放させて換気が行われる構成に比べて、窓部１５における防犯性能を高めることができる。
【００６７】
シャッタケース３３が窓部１５の上方に取り付けられているため、シャッタケース３３の収納スペース３７と居室１１とを連通する外壁側開口部５２も窓部１５の上方に設けられている。この場合、人が手を伸ばしても外壁側開口部５２に届きにくくなっており、シャッタケース３３の収納スペース３７を通じての換気に際しての安全性が高められている。また、外壁側開口部５２はシャッタケース３３の居室１１側に形成されているため、外壁側開口部５２を極力大きくすることができる。これは、外壁１２においてシャッタケース３３が取り付けられている部分という通常はデッドスペースになってしまう位置に外壁側開口部５２が配置されているためである。したがって、例えば、外壁１２において屋外側及び屋内側の両方に障害物がない位置に通気口が形成されている場合に比べて、シャッタケース３３の収納スペース３７を通じて通気を行う構成は通気量を大きくすることができる。
【００６８】
（他の実施形態）
本発明は上記実施形態の記載内容に限定されず、例えば次のように実施してもよい。
【００６９】
（１）通気調整装置としての開閉装置５５は、シャッタケース３３の収納スペース３７を通じての通気を実行及び停止することが可能であればよい。つまり、通気を可能とする通気状態及び通気を停止する非通気状態のいずれかとなる構成であればよい。例えば、開閉装置５５の開閉体５６がシャッタケース３３のケース側開口部５１を開閉する構成や、開閉体５６がシャッタケース３３のカーテン出入口３９を開閉する構成とする。これらの構成であっても、収納スペース３７を通じての通気を実行及び停止することが可能となる。
【００７０】
また、開閉装置５５は、開閉体５６の開放角度を調整可能な構成であってもよい。この場合、開閉体５６の開放角度が調整されることによりシャッタケース３３の収納スペース３７による通気量を調整することが可能となる。つまり、居室１１の換気量を調整することが可能となる。
【００７１】
（２）シャッタケース３３には、収納スペース３７を屋外側に開放する開口部がカーテン出入口３９とは別に形成されていてもよい。
【００７２】
（３）収納スペース３７を居室１１側に開放するためにシャッタケース３３に形成されたケース側開口部５１は、通気ダクトを通じて居室１１に通じていてもよく、外壁側開口部５２を介することなく直接的に居室１１に通じていてもよい。ケース側開口部５１が直接的に居室１１に通じている構成としては、外壁１２に形成された開口部にシャッタケース３３が嵌め込まれており、シャッタケース３３における屋内側の側面が居室１１に露出している構成が挙げられる。この場合、開閉装置５５は、開閉体５６がケース側開口部５１を開閉するようにシャッタケース３３に対して設けられていることが好ましい。
【００７３】
（４）ゴミや埃、虫、花粉、砂などを除去するフィルタがシャッタケース３３の収納スペース３７に対して設けられていてもよい。例えば、図４（ａ）に示すように、開閉装置５５の屋外側に防塵フィルタ７１が設けられている構成とする。なお、図４（ａ）は窓部１５周辺を居室１１側から見た斜視図である。
【００７４】
居室１１において、防塵フィルタ７１を居室１１側から覆うカバー部材７２が外壁１２の屋内面に対して取り付けられており、防塵フィルタ７１及びカバー部材７２は外壁側開口部５２の屋内側に配置されている。この場合、カバー部材７２には外壁側開口部５２に連通する連通口（図示略）が形成されており、その連通口に対して開閉装置５５が設けられている。
【００７５】
図４（ｂ）に示すように、防塵フィルタ７１はカバー部材７２の内部において支持部材７３により支持されている。支持部材７３には居室１１側へ突出したガイド部７５が設けられており、防塵フィルタ７１にはガイド部７５が挿入される挿入口７６が形成されている。この構成によれば、挿入口７６にガイド部７５を挿入させるだけで防塵フィルタ７１をガイド部７５に対して容易に固定できる。これは、窓部１５の上方という固定作業が困難になる場所において効果的である。また、開閉装置５５及びカバー部材７２を外壁１２から取り外した状態において、防塵フィルタ７１を別の防塵フィルタ７１と取り替える作業を容易に行うことができる。したがって、季節や天気に合わせて複数の種類の防塵フィルタ７１を使い分けることや、汚れた防塵フィルタ７１を新規の防塵フィルタ７１に取り替えることが容易となる。
【００７６】
なお、防塵フィルタ７１は洗浄することが可能となっており、網目に付着したゴミなどを洗い流すことで防塵フィルタ７１における通気量の低下を抑制できる。
【００７７】
（５）通気調整装置としての開閉装置５５の動作制御は、シャッタカーテン３２のスラット３４の開閉状態に基づいて行われてもよい。この場合、コントローラ６１は、例えばスラット３４が開放状態にある場合に、窓部１５におけるスラット３４の間の隙間を通じて通気が行われるためシャッタケース３３の内部を通じての通気を行う必要がないとして、開閉装置５５を閉鎖状態とする。また、スラット３４が閉鎖状態にある場合に、シャッタケース３３の内部を通じての通気を行う必要があるとして、開閉装置５５を開放状態とする。
【００７８】
（６）居室１１には、外気を居室１１に取り込む給気ファンや内気を屋外に排出する排気ファンが設けられていてもよい。
【００７９】
（７）通気調整装置としての開閉装置５５の動作制御が建物内の環境や屋外の環境に基づいて行われてもよい。例えば、居室１１の温度を検出する建物内温度センサと、外気温度を検出する外気温度センサと、屋外における風速を検出する風速センサと、日時を計測するタイマとが設けられており、コントローラ６１が各センサやタイマの検出信号に基づいて開閉装置５５やシャッタ装置３１、換気ファン４５の動作制御を行う構成とする。なお、タイマは暦カウンタとしてシャッタ装置３１に内蔵されていてもよい。
【００８０】
コントローラ６１は、例えば、タイマにより計測した現在時刻が夜間時間帯にあり、あらかじめ設定された目標温度に対する温度差が居室１１の温度より外気温度の方が小さい場合に、シャッタカーテン３２を閉鎖、且つスラット３４を閉鎖の状態とし、換気ファン４５に排気運転を行わせるとともに開閉装置５５を開放状態とする。この場合、夜間において窓部１５における防犯性能が低下することを回避しつつ、シャッタカーテン３２の内部を通じて外気を取り込むことにより居室１１の温度調整を行うことができる。
【００８１】
また、コントローラ６１は、風速センサにより検出された風速が所定値より大きい場合、シャッタカーテン３２を閉鎖、且つスラット３４を閉鎖の状態とし、開閉装置５５を開放状態とする。この場合、窓部１５から強風が居室１１内に吹き込むことを回避しつつ、シャッタカーテン３２の内部を通じて外気を居室１１に取り込むことができる。また、この場合、換気ファン４５の運転を行わなくても、風圧によりシャッタカーテン３２の内部を通じて居室１１の自然換気が行われる。
【００８２】
コントローラ６１は、建物１０内に人がいるか否かの判定を行い、人がいない場合に、シャッタカーテン３２を閉鎖させてスラット３４を閉鎖状態とし、開閉装置５５を開放状態とする。これにより、人が不在である場合に建物１０の防犯性能を低下させることなく居室１１の換気を行うことができる。
【００８３】
コントローラ６１は、冬季などの寒い時期において、外気温度が所定温度（例えば２３℃）より低い場合に開閉装置５５を閉鎖状態とする。この場合、シャッタカーテン３２の内部を通じた居室１１の換気が停止し、冷たい外気が居室１１に導入されることや暖かい内気が屋外に排出されることを回避できる。この場合、意図しない換気が行われることを回避でき、ひいては居室１１を快適に利用することができる。
【００８４】
コントローラ６１は、夏季などの暑い時期において、外気温度が所定温度（例えば２３℃）より高い場合に開閉装置５５を閉鎖状態とする。この場合、温かい外気が居室１１に導入されることや涼しい内気が屋外へ排出されることを回避できる。なお、コントローラ６１は居室１１の温度が所定時間（例えば１分）で所定温度（例えば２℃）以上低下した場合に、居室１１に設置されたエアコンの冷房運転が行われていると判定し、開閉装置５５を閉鎖状態とする。
【００８５】
（８）シャッタケース３３は、窓部１５の周辺における窓部１５の下方や側方に設けられていてもよい。
【符号の説明】
【００８６】
１０…建物、１１…建物内空間としての居室、１２…外壁、１５…窓部、３１…シャッタ装置、３２…シャッタカーテン、３３…シャッタケース、４５…給気ファン及び換気装置としての換気ファン、４６…別の通気路としての換気ダクト、５５…通気調整装置としての開閉装置、６１…制御手段及び判定手段としてのコントローラ。
【図１】
2011106170.tif 000003
【図２】
2011106170.tif 000004
【図３】
2011106170.tif 000005
【図４】
2011106170.tif 000006